(57)【特許請求の範囲】
【請求項１】
販売する商品を収容する商品収容棚と販売する商品を前記商品収容棚から搬送する商品搬送装置とを備えた商品収容部と、販売する商品を加温または冷却する冷熱装置と販売指令により前記商品搬送装置を作動させる制御装置とを備え前記商品収容部と隣り合わせに配置された制御部と前記商品収容部を上下に分割する断熱体と、前記商品収容部と制御部とを備えた装置本体と、前記装置本体に軸支されたドアと、前記ドアの前記商品収容部と対向した位置に形成されたパネル体と、前記ドアの前記制御部に対向した位置に形成された接客部と、前記パネル体に保持され前記ドア閉塞時に前記断熱体前面と当接する断熱板と、前記断熱板の幅方向に渡って設けられ前記パネル体と密着する軟質部とを有し、前記パネル体と前記断熱板との間に表示板を備えたことを特徴とする自動販売機。
【発明の詳細な説明】
【０００１】
【発明の属する技術分野】
本発明は、主としてショーケースによる商品の販売を自動化した自動販売機に関するものである。
【０００２】
【従来の技術】
販売する商品を外部より視認可能とする自動販売機においては、特開平７−１２１７６５号公報に示すものがある。図３に従来の外部より販売する商品を視認可能とする自動販売機を示す。図３において、装置本体１は外箱２内に商品を陳列しており、装置本体１とヒンジにて軸支されたドア３とで構成されている。ドア３には、外箱２内に陳列した全ての商品を外部から視認できるように、透明のパネル体４で広く窓が形成され、また、パネル体４の脇には硬貨などの支払手段を受け入れる接客部５が設けられている。パネル体４は、断熱を考慮して透明な二重ガラスなどで構成されている。
【０００３】
【発明が解決しようとする課題】
しかしながら上記従来の構成では、１台の自動販売機において加温された商品と冷却された商品を販売することができず、内箱に断熱壁を設けていても、パネル体と断熱壁の密着部において冷気が漏れてしまうという問題点を有している。
【０００４】
また、パネル体が透明なガラスなどで構成されているためパネル体と断熱壁の密着部が消費者に見えてしまい、消費者の購買意欲を低減させる要因となる。
【０００５】
本発明は上記問題に鑑みてなされたものであり、販売する商品を外部より視認可能とする自動販売機において内箱を上下に分割する断熱壁とパネル体との密着部に表示板を構成することを目的としている。
【０００６】
【課題を解決するための手段】
本発明は、販売する商品を収容する商品収容棚と販売する商品を前記商品収容棚から搬送する商品搬送装置とで構成された商品収容部と、販売する商品を加温または冷却する冷熱装置と販売指令により前記商品搬送装置を作動させる制御装置とで構成された制御部とは隣り合わせに配置されており、さらに前記商品収容部を上下に分割する断熱体とで構成される装置本体と、前記装置本体に軸支されたドアは、前記商品収容部と対向して配置されるパネル体と、前記制御部に対向して配置される接客部と、前記パネル体に保持されドア閉時に前記断熱体前面と当接し、かつ前記パネル体内面と水平方向に密着する軟質部を上下に備えた断熱板とを有する自動販売機において、前記パネル体と前記断熱板との間に表示板を備えたことを特徴としている。
【０００７】
この本発明によれば、上下に分割された内箱内が互いの部屋に冷気を漏らすことなく、また、前記パネル体と前記断熱壁の密着部が消費者の目に触れることもなく化粧板にて隠すことにより販売する商品をアピールでき、消費者の購買意欲をさらに高めることができる。
【０００８】
【発明の実施の形態】
本発明の請求項１に記載の発明は、販売する商品を収容する商品収容棚と販売する商品を前記商品収容棚から搬送する商品搬送装置とで構成された商品収容部と、販売する商品を加温または冷却する冷熱装置と販売指令により前記商品搬送装置を作動させる制御装置とで構成された制御部とは隣り合わせに配置されており、さらに前記商品収容部を上下に分割する断熱体とで構成される装置本体と、前記装置本体に軸支されたドアは、前記商品収容部と対向して配置されるパネル体と、前記制御部に対向して配置される接客部と、前記パネル体に保持されドア閉時に前記断熱体前面と当接し、かつ前記パネル体内面と水平方向に密着する軟質部を上下に備えた断熱板とを有する自動販売機において、前記パネル体と前記断熱板との間に表示板を備えたことを特徴としたものであり、この本発明によれば、上下に分割された内箱内が互いの部屋に冷気を漏らすことなく、また、前記パネル体と前記断熱壁の密着部が消費者の目に触れることもなく化粧板にて隠すことにより販売する商品をアピールでき、消費者の購買意欲をさらに高めることができる。
【０００９】
以下、本発明の実施の形態について、図１から図３を用いて説明する。
（実施の形態１）
図１は、本発明の実施の形態１による自動販売機の斜視図である。図１において、外箱１１と断熱された内箱１２は、商品収容部１３と制御部１４からなり、商品収容部１３は販売する商品を収容する商品収容棚１５と、販売指令に基づいて販売する商品を商品収容棚１５から搬送する商品搬送装置１６と、内箱１２を上下に分割する断熱体１７が配置されている。また、制御部１４は販売指令により商品搬送装置１６を作動させる制御装置１８と、制御装置１８と断熱された冷熱装置１９と、で構成されている。
【００１０】
１ａはドアで、外箱１１とヒンジ１ｂにて軸支されている。１ｃはガラスなどでできた透明なパネル体で商品収容部１３に対向して設けられており、販売する商品を外部より視認可能とする。パネル体１ｃは断熱などを考慮して二重のガラスなどで構成されている。１ｄは、接客部で、制御部１４に対向して配置されており商品選択ボタンと硬貨投入口と商品取出し装置とで、構成されている。１ｅは断熱板であり、熱伝導を考慮して硬質塩ビなどの樹脂でできている。ドア閉時には断熱板１ｅと断熱体１７の前面と水平方向に密着する位置においてパネル体１ｃに保持されている。
【００１１】
図２は断熱板の密着部の断面図である。図２において、２１はパネル体であり２２は断熱板である。断熱板２２はパネル体２１と密着する軟質部２３をもち、軟質部２３がパネル体２１に密着することによって、断熱体２４の上側の空気と下側の空気がパネル体２１と断熱板２２の間を通じて混ざり合うことのないように遮断している。２５はガスケットであり、断熱体２４の前面に設けられており断熱板２２に密着することにより、断熱体２４の上側の空気と下側の空気が断熱体２４と断熱板２２の間を通じて混ざり合うことのないように遮断している。ガスケット２５は、断熱板２２によって圧縮されているのがよく、軟質塩ビなどでできていることが好ましい。２６は表示板であり、硬質の樹脂などでできている。表示板２６は、パネル体２１と断熱板２２との間に配置され断熱板２２には表示板２６を保持する溝が設けられている。
【００１２】
【発明の効果】
前記に説明するように、販売する商品を外部より視認可能とする自動販売機において、加温された商品と冷却された商品を販売する際に、内箱に設けられた断熱壁と、パネル体との密着部において冷気が漏れてしまうことがなく、また、断熱板に表示板を設けたことで、パネル体が透明なガラスなどで構成されていることで、パネル体と断熱壁の密着部において、消費者に販売する商品をアピールすることができる。
【図面の簡単な説明】
【図１】本発明の実施の形態１による自動販売機の斜視図
【図２】本発明の実施の形態１による要部断面図
【図３】本発明の従来例による斜視図
【符号の説明】
１  装置本体
１ａ  ドア
１ｂ  ヒンジ
１ｃ  パネル体
１ｄ  接客部
１ｅ  断熱板
２  外箱
３  ドア
４  パネル体
５  接客部
１１  外箱
１２  内箱
１３  商品収容部
１４  制御部
１５  商品収容棚
１６  商品搬送装置
１７  断熱体
１８  制御装置
１９  冷熱装置
２１  パネル体
２２  断熱板
２３  軟質部
２４  断熱体
２５  ガスケット
２６  表示板
【図１】
0003641094.tif 000002
【図２】
0003641094.tif 000003
【図３】
0003641094.tif 000004